(57)【要約】  流動性製品を分注するためのポンプ装置１は、第一および第二の蠕動ポンプ１２，１４を含む。第一の蠕動ポンプ１２は、少なくとも１つの押圧部材２０を有する第一のロータ１８と、内部で第一のロータ１８が回転可能な円筒状の第一のステータ１９と、第一の内壁１９ａに接触して第一のステータ１９の周囲を周方向に延びる第一の可撓性チューブ３０とを含む。第二の蠕動ポンプ１４は、少なくとも１つの押圧部材４６を有する第二のロータ４２と、内部で第二のロータ４２が回転可能な円筒状の第二のステータ４４と、第二の内壁４４ａに接触して第二のステータ４４の周囲を周方向に延びる第二の可撓性チューブ５４とを含む。第一の内壁１９ａは第一の半径ｒ１を有し、第二の内壁４４ａは第二の半径ｒ２を有し、第一の半径ｒ１は第二の半径ｒ２よりも大きい。ステータ１９，４４の少なくとも一方は、ステータ１９，４４の他方に対して相対的に移動可能である。【選択図】図１ａ，図１ｂ
2021519879.tif 000002
【特許請求の範囲】
【請求項１】
少なくとも１つの押圧部材を有する駆動可能な第一のロータと、
内部で前記第一のロータが回転可能な円筒状の第一のステータであって、第一の半径を有する円周状の第一の内壁を備えた第一のステータと、
入口側と出口側を有し、前記第一の内壁に接触して前記第一のステータの周囲を周方向に延びている第一の可撓性チューブと、
を含む第一の蠕動ポンプと、
少なくとも１つの押圧部材を有する駆動可能な第二のロータと、
内部で前記第二のロータが回転可能な円筒状の第二のステータであって、第二の半径を有する円周状の第二の内壁を備えた第二のステータと、
入口側と出口側を有し、前記第二の内壁に接触して前記第二のステータの周囲を周方向に延びている第二の可撓性チューブと、
を含む第二の蠕動ポンプと、を含んでおり、
前記第一の半径が前記第二の半径よりも大きくされていると共に、前記第一のステータおよび前記第二のステータの少なくとも一方が該第一のステータおよび該第二のステータの他方に対して相対的に移動可能である
ことを特徴とする流動性製品を分注するためのポンプ装置。
【請求項２】
ポンプハウジングを更に含んでいる請求項１に記載の流動性製品を分注するためのポンプ装置。
【請求項３】
前記第一のステータおよび前記第二のステータの少なくとも一方が、該第一のステータおよび該第二のステータの他方に対して相対的に移動するように前記ポンプハウジング上または該ポンプハウジング内に取り付けられている請求項２に記載の流動性製品を分注するためのポンプ装置。
【請求項４】
前記第一のステータおよび前記第二のステータの両方が、互いに対して相対的に移動するように前記ポンプハウジング上または該ポンプハウジング内に取り付けられている請求項２または３に記載の流動性製品を分注するためのポンプ装置。
【請求項５】
前記第一のステータおよび前記第二のステータの少なくとも一方が前記ポンプハウジングによって形成されていると共に、該第一のステータおよび該第二のステータの他方が、該ポンプハウジングに対して相対的に移動するように該ポンプハウジング上または該ポンプハウジング内に取り付けられている請求項２または３に記載の流動性製品を分注するためのポンプ装置。
【請求項６】
前記第一のステータおよび前記第二のステータの移動可能とされた前記少なくとも一方が、前記ポンプハウジングに対して相対的に移動可能なステータブロックを含んでいる請求項２〜５のいずれか一項に記載の流動性製品を分注するためのポンプ装置。
【請求項７】
前記ステータブロックを前記ポンプハウジング上または該ポンプハウジング内に保持するための保持手段を含んでおり、該保持手段が、該ポンプハウジングに対する該ステータブロックの相対的な移動を許容するように配置されている請求項６に記載の流動性製品を分注するためのポンプ装置。
【請求項８】
前記ポンプハウジングが、互いに相対的に移動可能な第一のハウジング部品および第二のハウジング部品を含んでおり、前記第一のステータおよび前記第二のステータが該第一のハウジング部品および該第二のハウジング部品によって形成されている請求項１〜７のいずれか一項に記載の流動性製品を分注するためのポンプ装置。
【請求項９】
前記第一の半径が前記第二の半径よりも少なくとも２０％大きくされている請求項１〜８のいずれか一項に記載の流動性製品を分注するためのポンプ装置。
【請求項１０】
前記第一の半径が前記第二の半径よりも少なくとも５０％大きくされている請求項１〜９のいずれか一項に記載の流動性製品を分注するためのポンプ装置。
【請求項１１】
前記第一の半径が前記第二の半径よりも少なくとも１００％大きくされている請求項１〜１０のいずれか一項に記載の流動性製品を分注するためのポンプ装置。
【請求項１２】
前記第一の可撓性チューブと前記第二の可撓性チューブが同じ内径を有している請求項１〜１１のいずれか一項に記載の流動性製品を分注するためのポンプ装置。
【請求項１３】
前記第一の可撓性チューブと前記第二の可撓性チューブが異なる内径を有している請求項１〜１１のいずれか一項に記載の流動性製品を分注するためのポンプ装置。
【請求項１４】
前記第一の可撓性チューブの前記内径が、前記第二の可撓性チューブの前記内径よりも大きくされている請求項１３に記載の流動性製品を分注するためのポンプ装置。
【請求項１５】
前記第一の可撓性チューブの前記内径が前記第二の可撓性チューブの前記内径と少なくとも２０％異なっている請求項１３または１４に記載の流動性製品を分注するためのポンプ装置。
【請求項１６】
前記第一の可撓性チューブの前記内径が前記第二の可撓性チューブの前記内径と少なくとも５０％異なっている請求項１３〜１５のいずれか一項に記載の流動性製品を分注するためのポンプ装置。
【請求項１７】
前記第一の可撓性チューブの前記内径が前記第二の可撓性チューブの前記内径と少なくとも１００％異なっている請求項１３〜１６のいずれか一項に記載の流動性製品を分注するためのポンプ装置。
【請求項１８】
前記第一の可撓性チューブの前記出口側で出口軸を有する第一の製品出口コネクタと、前記第二の可撓性チューブの前記出口側で出口軸を有する第二の製品出口コネクタを含んでおり、該第一の製品出口コネクタと該第二の製品出口コネクタの該出口軸は、前記第一のロータおよび前記第二のロータの回転軸と実質的に平行であると共に、該第一の製品出口コネクタと該第二の製品出口コネクタが、前記ポンプハウジング上または該ポンプハウジング内に取り付けられて該ポンプハウジングに対して相対的に移動可能である請求項１〜１７のいずれか一項に記載の流動性製品を分注するためのポンプ装置。
【請求項１９】
前記第一の製品出口コネクタおよび前記第二の製品出口コネクタがプッシュフィットコネクタを含んでいる請求項１８に記載の流動性製品を分注するためのポンプ装置。
【請求項２０】
前記第一の可撓性チューブが前記出口側に第一の製品出口を備えていると共に、前記第二の可撓性チューブが前記出口側に第二の製品出口を備えており、該第一の製品出口および該第二の製品出口が、流動性製品を直接、容器に分注するように構成されている請求項１〜１７のいずれか一項に記載の流動性製品を分注するためのポンプ装置。
【請求項２１】
前記第一の製品出口と前記第二の製品出口が同じ内径を有している請求項２０に記載の流動性製品を分注するためのポンプ装置。
【請求項２２】
前記第一の製品出口と前記第二の製品出口が異なる内径を有している請求項２０に記載の流動性製品を分注するためのポンプ装置。
【請求項２３】
前記第一の製品出口の前記内径が、前記第二の製品出口の前記内径よりも大きくされている請求項２２に記載の流動性製品を分注するためのポンプ装置。
【請求項２４】
前記第一の製品出口が第一の分注ノズルを含んでおり、前記第二の製品出口が第二の分注ノズルを含んでいる請求項２０〜２３のいずれか一項に記載の流動性製品を分注するためのポンプ装置。
【請求項２５】
単一の流動性製品源を更に含んでおり、前記第一の可撓性チューブの前記入口側と前記第二の可撓性チューブの前記入口側が、それぞれ該単一の流動性製品源と連通している請求項１〜２４のいずれか一項に記載の流動性製品を分注するためのポンプ装置。
【請求項２６】
前記単一の流動性製品源が流動性製品リザーバを含んでいる請求項２５に記載の流動性製品を分注するためのポンプ装置。
【請求項２７】
前記単一の流動性製品源が、流動性製品を収容する、気密性のある可撓性パウチを含んでいる請求項２５または２６に記載の流動性製品を分注するためのポンプ装置。
【請求項２８】
第一の流動性製品源と、該第一の流動性製品源と連通していない第二の流動性製品源を更に含んでおり、
前記第一の可撓性チューブの前記入口側が前記第一の流動性製品源と連通していると共に、
前記第二の可撓性チューブの前記入口側が前記第二の流動性製品源と連通している
請求項１〜２４のいずれか一項に記載の流動性製品を分注するためのポンプ装置。
【請求項２９】
前記第一の流動性製品源と前記第二の流動性製品源が同じ流動性製品を収容している請求項２８に記載の流動性製品を分注するためのポンプ装置。
【請求項３０】
前記第一の流動性製品源と前記第二の流動性製品源が異なる流動性製品を収容している請求項２８に記載の流動性製品を分注するためのポンプ装置。
【請求項３１】
前記第一の流動性製品源および／または前記第二の流動性製品源が流動性製品リザーバを含んでいる請求項２８〜３０のいずれか一項に記載の流動性製品を分注するためのポンプ装置。
【請求項３２】
前記第一の流動性製品源および／または前記第二の流動性製品源が気密性のある可撓性パウチを含んでいる請求項２８〜３１のいずれか一項に記載の流動性製品を分注するためのポンプ装置。
【発明の詳細な説明】
【技術分野】
【０００１】
本発明は、一般に、流動性製品の分注に係り、特に流動性製品を分注するためのポンプ装置に関する。本発明の実施形態は、特に、比較的粘性を有する液体の分注に関するものであるが、これに限定されない。本発明の実施形態は、異なる直径を有する第１および第２の蠕動ポンプを使用して、正確な量の流動性製品を分注するためのポンプ装置を提供する。
【背景技術】
【０００２】
蠕動ポンプは、当技術分野でよく知られており、一般に液体を送液するために使用されている。従来の蠕動ポンプでは、可撓性チューブがステータと１つ以上の押圧部材を有するロータとの間で圧縮され、液体はロータの回転に伴って蠕動作用によって可撓性チューブを通って搬送される。蠕動ポンプは様々な用途に使用することができ、特に、液体の流れを慎重に計量する必要があり、液体の汚染を避ける必要がある場合に有用である。蠕動ポンプは、例えば患者に静脈内液体を投与するための医療用途に広く使用されており、また食品や飲料用途において、例えば飲料や液体香料などの飲料の成分を所定量分注するためにも使用されている。蠕動ポンプは、粘性を有する液体を送液するのにも適している。
【０００３】
例えば、米国特許第７９９７４４８号明細書において、少なくとも２つの蠕動ポンプを有するポンプ装置によって、より正確に分注できる場合があることが、先に提案されている。米国特許第７９９７４４８号明細書では、蠕動ポンプのロータは同軸上に位置合わせされ、クラッチを使用して単一のシャフトによって駆動されるため、複雑でかさばる装置になっている。本発明は、改良されたポンプ装置を提供しようとするものである。
【発明の概要】
【０００４】
第一の態様は、少なくとも１つの押圧部材を有する駆動可能な第一のロータと、内部で第一のロータが回転可能な円筒状の第一のステータであって、第一の半径を有する円周状の第一の内壁を備えた第一のステータと、入口側と出口側を有し、第一の内壁に接触して第一のステータの周囲を周方向に延びている第一の可撓性チューブと、を含む第一の蠕動ポンプと、少なくとも１つの押圧部材を有する駆動可能な第二のロータと、内部で第二のロータが回転可能な円筒状の第二のステータであって、第二の半径を有する円周状の第二の内壁を備えた第二のステータと、入口側と出口側を有し、第二の内壁に接触して第二のステータの周囲を周方向に延びている第二の可撓性チューブと、を含む第二の蠕動ポンプと、を含んでおり、第一の半径が第二の半径よりも大きくされていると共に、第一のステータおよび第二のステータの少なくとも一方が第一のステータおよび第二のステータの他方に対して相対的に移動可能であることを特徴とする流動性製品を分注するためのポンプ装置を提供するものである。
【０００５】
第一のステータの半径が第二のステータの半径よりも大きいポンプ装置を設けることにより、第一の蠕動ポンプは、比較的短時間で大量の流動性製品を分注するように動作させることができる一方、第二の蠕動ポンプは、通常は第一の蠕動ポンプの動作終了後に、より少量の流動性製品をより高精度に分注するように動作させることができる。
【０００６】
第一および第二のロータはそれぞれ回転軸を有していてもよく、回転軸は互いに実質的に平行であってもよいし、互いに離間していてもよい。第一および第二のロータは、別体の第一および第二の外部駆動部によって係合可能であってもよく、第一および第二の外部駆動部の回転軸もまた、互いに実質的に平行であってもよいし、互いに離間していてもよい。少なくとも一方のステータ、ひいてはそれに関連付けられたロータを、他方のステータおよびそれに関連付けられたロータに対して相対的に移動可能に取り付けることにより、第一および第二のロータと第一および第二の外部駆動部との正確な係合を保証することができる。これにより、ポンプ装置の製造中に、第一および第二のステータ、ひいては第一および第二のロータの厳密な位置決めおよび位置合わせの必要性がなくなる。
【０００７】
少なくとも一方のステータは、他方のステータに向かって、あるいは離れて移動可能であってもよい。少なくとも一方のステータは、他方のステータに対して、同一平面内で相対的に移動可能であってもよい。第一および第二のステータは、同一平面上にあってもよい。第一および第二のロータは、同一平面上にあってもよい。
【０００８】
ポンプ装置は、ポンプハウジングを含んでいてもよい。
【０００９】
第一のステータおよび第二のステータの少なくとも一方が、第一のステータおよび第二のステータの他方に対して相対的に移動するようにポンプハウジング上またはポンプハウジング内に取り付けられていてもよい。少なくとも一方のステータが移動することにより、それに関連付けられたロータの移動が許容され、それゆえ、ロータと第一および第二の外部駆動部との位置合わせおよび係合を保証することができる。
【００１０】
第一のステータおよび第二のステータの両方が、互いに対して相対的に移動するようにポンプハウジング上またはポンプハウジング内に取り付けられていてもよい。両方のステータが移動することにより、それらに関連付けられたロータの移動が許容され、ロータと第一および第二の外部駆動部との位置合わせおよび係合が更に容易になり得る。
【００１１】
第一のステータおよび第二のステータの少なくとも一方がポンプハウジングによって形成されていると共に、第一のステータおよび第二のステータの他方が、ポンプハウジングに対して相対的に移動するようにポンプハウジング上またはポンプハウジング内に取り付けられていてもよい。少なくとも一方のステータ、すなわち移動不可能なステータがポンプハウジングによって形成される構成により、ポンプ装置の製造が簡略化され得る。
【００１２】
第一のステータがポンプハウジングによって形成され、第二のステータがポンプハウジング上またはポンプハウジング内に取り付けられていてもよい。これにより、第一の蠕動ポンプに関連付けられたより大径のステータがポンプハウジングによって形成されると共に、第二の蠕動ポンプに関連付けられたより小径のステータがポンプハウジング上またはポンプハウジング内に取り付けられ得る。あるいは、第一のステータがポンプハウジング上にまたはポンプハウジング内に取り付けられ、第二のステータがポンプハウジングによって形成されていてもよい。これにより、第一の蠕動ポンプに関連付けられたより大径のステータがポンプハウジング上またはポンプハウジング内に取り付けられると共に、第二の蠕動ポンプに関連付けられたより小径のステータがポンプハウジングによって形成され得る。
【００１３】
第一のステータおよび第二のステータの移動可能とされた少なくとも一方が、ポンプハウジングに対して相対的に移動可能なステータブロックを含んでいてもよい。ポンプ装置が、ステータブロックをポンプハウジング上またはポンプハウジング内に保持するための保持手段を含んでおり、保持手段が、ポンプハウジングに対するステータブロックの相対的な移動を許容するように配置されていてもよい。移動可能なステータとしてのステータブロックを設けることにより、ポンプ装置の製造が簡略化され得る。
【００１４】
ポンプハウジングが、互いに相対的に移動可能な第一のハウジング部品および第二のハウジング部品を含んでいてもよい。第一のステータおよび第二のステータが第一のハウジング部品および第二のハウジング部品によって形成されていてもよい。これにより、第一および第二のハウジング部品が移動することで、前述の、第一および第二のステータおよびそれらに関連付けられたロータの相対移動が許容され、ロータと第一および第二の外部駆動部との位置合わせおよび係合が容易になる。
【００１５】
第一の半径が、第二の半径よりも少なくとも２０％大きくされていてもよい。第一の半径が第二の半径よりも少なくとも５０％大きくされていてもよい。第一の半径が第二の半径よりも少なくとも１００％大きくされていてもよい。第一の半径と第二の半径の比率は、より大きな半径の第一の蠕動ポンプが比較的大量の流動性製品を比較的短時間で分注する性能と、より小さな半径の第二の蠕動ポンプがより少量の流動性製品をより高精度に分注する性能との間で相反関係を提供するように選択されてもよい。
【００１６】
第一の可撓性チューブと第二の可撓性チューブは同じ内径を有していてもよい。従って、第一および第二の蠕動ポンプのポンプ特性は、第一および第二のステータ、ならびにそれらに関連付けられた第一および第二のロータの異なる直径によってのみ決定される。
【００１７】
第一の可撓性チューブの直径、特に内径は、第二の可撓性チューブの直径とは少なくとも２０％、異なっていてもよいし、大きくされていてもよい。第一の可撓性チューブの直径は、第二の可撓性チューブの直径とは少なくとも５０％、異なっていてもよいし、大きくされていてもよい。第一の可撓性チューブの直径は、第二の可撓性チューブの直径とは少なくとも１００％、異なっていてもよいし、大きくされていてもよい。より大径の可撓性チューブは、より大きなステータ半径を有する第一の蠕動ポンプが比較的大量の流動性製品を比較的短時間で分注する性能に寄与し得ると共に、より小径の可撓性チューブは、より小さなステータ半径を有する第二の蠕動ポンプがより少量の流動性製品をより高精度に分注する性能に寄与し得る。
【００１８】
ポンプ装置は、第一の可撓性チューブの出口側に第一の製品出口コネクタを含んでいてもよく、第二の可撓性チューブの出口側に第二の製品出口コネクタを含んでいてもよい。第一の製品出口コネクタが出口軸を有していてもよく、第二の製品出口コネクタが出口軸を有していてもよい。第一の製品出口コネクタおよび第二の製品出口コネクタの出口軸は、第一のロータおよび第二のロータの回転軸と実質的に平行であってもよい。第一の製品出口コネクタと第二の製品出口コネクタが、ポンプハウジング上またはポンプハウジング内に取り付けられてポンプハウジングに対して相対的に移動可能であってもよく、例えば、移動可能な第一および／または第二のステータと同一平面内で移動可能であってもよい。第一および第二の製品出口コネクタをポンプハウジングに対して、ひいては第一および／または第二のステータおよびそれ（ら）に関連付けられたロータに対して相対的に移動可能に取り付けることにより、第一および第二の製品出口コネクタと、外部に取り付けられて協働する第一および第二の製品入口コネクタとの正確な位置合わせを保証することができる。第一および第二の製品出口コネクタと、外部に取り付けられた、それぞれ対応する第一および第二の製品入口コネクタとの間の液密な連結が保証され、位置ずれに起因する損傷または摩耗を回避することができるか、または少なくとも最小限に抑えることができる。更に、第一および第二の製品出口コネクタをポンプハウジングに対して移動可能に取り付けることにより、ポンプ装置の製造中に、第一および第二の製品出口コネクタの厳密な位置決めおよび位置合わせの必要性がなくなる。
【００１９】
第一の製品出口コネクタがプッシュフィットコネクタを含んでいてもよく、第二の製品出口コネクタがプッシュフィットコネクタを含んでいてもよい。この形態のコネクタは、外部に取り付けられて協働する第一および第二のプッシュフィット製品入口コネクタと共に使用するのに特に適している場合がある。
【００２０】
第一の可撓性チューブがその出口側に第一の製品出口を備えていてもよく、第二の可撓性チューブがその出口側に第二の製品出口を備えていてもよい。第一の製品出口および第二の製品出口が、流動性製品を直接、容器に、特に、共通の容器に分注するように構成されていてもよい。第一および第二の可撓性チューブのそれぞれの出口側の第一および第二の製品出口から流動性製品を直接、分注することにより、分注動作を行うための外部チューブ（すなわち、ポンプ装置の一部を形成しないチューブ）の必要性を回避し、それにより、異なる流動性製品を分注するために使用される状況において、外部チューブを洗浄したり、衛生的にしたりする必要性を回避することができる。
【００２１】
第一の製品出口と第二の製品出口が同じ内径を有していてもよい。このことは、第一の可撓性チューブと第二の可撓性チューブが同じ内径を有する実施形態において有利となり得る。
【００２２】
第一の製品出口と第二の製品出口が異なる内径を有していてもよい。このことは、第一の可撓性チューブと第二の可撓性チューブが異なる内径を有する実施形態において有利となり得る。
【００２３】
第一の製品出口の内径が、第二の製品出口の内径よりも大きくされていてもよい。このことは、第一の可撓性チューブの内径が第二の可撓性チューブの内径よりも大きい実施形態において有利となり得る。
【００２４】
第一の製品出口の内径は、少なくとも２０％、場合によっては少なくとも５０％、さらに場合によっては少なくとも１００％、第二の製品出口の内径よりも大きくされていてもよい。
【００２５】
第一の製品出口が第一の分注ノズルを含んでおり、第二の製品出口が第二の分注ノズルを含んでいてもよい。第一の分注ノズルが第一の分注針を含んでおり、第二の分注ノズルが第二の分注針を含んでいてもよい。
【００２６】
第一および第二の製品出口は、支持体に取り付け可能であってもよい。ポンプシステムを形成するために複数のポンプ装置が設けられてもよい。各ポンプ装置の第一および第二の製品出口が支持体に取り付け可能であってもよく、それにより、共通の容器に直接、流動性製品を分注するように配置され得る第一および第二の製品出口の配列が形成される。
【００２７】
ポンプ装置が単一の流動性製品源を含んでいてもよく、第一の可撓性チューブの入口側と第二の可撓性チューブの入口側が、それぞれ単一の流動性製品源と連通していてもよい。これにより、単一の流動性製品源から流動性製品を分注するための簡易で便利な構成が提供される。
【００２８】
単一の流動性製品源が流動性製品リザーバを含んでいてもよい。単一の流動性製品源が、流動性製品を収容する、気密性のある可撓性パウチを含んでいてもよい。
【００２９】
単一の流動性製品源は、ポンプハウジングに着脱可能に取り付けられていてもよい。単一の流動性製品源内の流動性製品の供給が底をついた場合は、当該製品源をポンプハウジングから取り外すことができ、交換用の単一の流動性製品源をポンプハウジングに取り付けることができる。これにより、使い切った単一の流動性製品源を廃棄しつつ、ポンプハウジングおよびそれに関連付けられた第一および第二の蠕動ポンプを更なる分注操作のために使用することができる。
【００３０】
単一の流動性製品源は、ポンプハウジングに恒久的に取り付けられていてもよい。単一の流動性製品源およびポンプハウジングは、硬質素材、例えば段ボールで形成された容器内に配設されてもよい。単一の流動性製品源内の流動性製品の供給が底をついた場合は、容器を取り外すことにより、第一および第二のロータを第一および第二の外部駆動部から係合解除することができる。その後、単一の流動性製品源およびそれに関連付けられたポンプハウジングを含む交換用の容器を配設することにより、第一および第二の蠕動ポンプの第一および第二のロータを第一および第二の外部駆動部と係合させることができる。
【００３１】
ポンプ装置は、第一の流動性製品源と、第一の流動性製品源と連通していない第二の流動性製品源を含んでいてもよい。第一の可撓性チューブの入口側が第一の流動性製品源と連通していてもよいし、第二の可撓性チューブの入口側が第二の流動性製品源と連通していてもよい。これにより、別々の流動性製品源からの流動性製品の分注が可能となる。第一の流動性製品源と第二の流動性製品源は同じ流動性製品を収容していてもよい。あるいは、第一の流動性製品源と第二の流動性製品源は異なる流動性製品を収容していてもよい。
【００３２】
第一の流動性製品源および／または第二の流動性製品源が流動性製品リザーバを含んでいてもよい。第一の流動性製品源および／または第二の流動性製品源が気密性のある可撓性パウチを含んでいてもよい。
【図面の簡単な説明】
【００３３】
【図１ａ】ポンプ装置の第一の実施形態を示す図である。
【図１ｂ】ポンプ装置の第一の実施形態を示す図である。
【図２】図１ａおよび図１ｂに示されたポンプ装置のステータブロックの移動を示す図である。
【図３】ポンプ装置の第二の実施形態を示す図である。
【図４】ポンプ装置の第三の実施形態を示す図である。
【図５】ポンプ装置の第四の実施形態を示す図である。
【図６】ポンプ装置の第五の実施形態を示す図である。
【図７】ポンプ装置の第六の実施形態を示す図である。
【図８】ポンプ装置の第七の実施形態を示す図である。
【図９】ポンプ装置の第八の実施形態を示す図である。
【図１０】図１ａおよび図１ｂに示されたポンプ装置の第一の実施形態を、着脱可能に連結可能な単一の流動性製品源と組み合わせて示す図である。
【図１１】図１ａおよび図１ｂに示されたポンプ装置の第一の実施形態を、連結済みの単一の流動性製品源と組み合わせて示す図である。
【図１２】ポンプ装置の第九の実施形態を示す図である。
【図１３】図１２に示されたポンプ装置の第九の実施形態を、連結済みの単一の流動性製品源と組み合わせて示す図である。
【発明を実施するための形態】
【００３４】
以下、本発明の実施形態について、図面を参照しつつ説明する。
【００３５】
先ず、図１ａおよび図１ｂを参照すると、ポンプ装置１は、第１の蠕動ポンプ１２、第２の蠕動ポンプ１４、およびポンプハウジング１６を含んでいる。
【００３６】
第一の蠕動ポンプ１２は、一般に、成形された実質的に硬質のプラスチック材料で形成された第一のロータ１８と、内部に第一のロータ１８が回転可能に取り付けられた円筒状の第一のステータ１９とを備えている。第一のロータ１８は、複数の押圧部材２０としての丸い突出部２２を備えており、丸い突出部２２は、第一のスピンドル２４と一体的に形成され、第一のスピンドル２４から半径方向外側に突出し、第一のスピンドル２４の周上で等間隔に配置されている。本実施形態では、第一のロータ１８は、３つの丸い突出部２２を備えているが、第一のロータ１８は、任意の適切な数の丸い突出部２２を備え得ることが理解されるであろう。また、他のタイプの押圧部材２０、例えばローラが使用され得ることも理解されるであろう。第一のスピンドル２４は、電気モータの駆動シャフトなどの第一の外部回転駆動部２８ａ（図１０および図１１）によって係合可能な中央駆動開口部２６を備えている。
【００３７】
第一の蠕動ポンプ１２は、ポリ塩化ビニルなどの任意の適切な弾力性のあるプラスチック材料で形成され得る第一の可撓性チューブ３０を備えている。第一の可撓性チューブ３０は、粘性を有する液体などの流動性製品が第一の蠕動ポンプ１２に送達される入口側３２と、流動性製品が第一の蠕動ポンプ１２から送達される出口側３４とを有する。入口側３２および出口側３４は、第一のロータ１８の回転の順方向（図１ａでは時計回り）に対して指定されている。入口側３２は、出口多岐管３８の第一の出口ポート３８ａに連結され、出口側３４は、第一の製品出口コネクタ４０に連結されている。第一の可撓性チューブ３０は、内壁１９ａに接触して円筒状の第一のステータ１９の周囲を周方向に延びており、入口側３２および出口側３２は、円筒状の第一のステータ１９から実質的に半径方向に離隔して外側に延びている。
【００３８】
第二の蠕動ポンプ１４は、一般に、成形された実質的に硬質のプラスチック材料で形成された第二のロータ４２と、内部に第二のロータ４２が回転可能に取り付けられた円筒状の第二のステータ４４とを備えている。第二のロータ４２は、複数の押圧部材４６としての丸い突出部４８を備えており、丸い突出部４８は、第二のスピンドル５０と一体的に形成され、第二のスピンドル５０から半径方向外側に突出し、第二のスピンドル５０の周上で等間隔に配置されている。本実施形態では、第二のロータ４２は、３つの丸い突出部４８を備えているが、第二のロータ４２は、任意の適切な数の丸い突出部４８を備え得ることが理解されるであろう。また、他のタイプの押圧部材４６、例えばローラが使用され得ることも理解されるであろう。第二のスピンドル５０は、電気モータの駆動シャフトなどの第二の外部回転駆動部２８ｂ（図１０および図１１）によって係合可能な中央駆動開口部５２を備えている。
【００３９】
第二の蠕動ポンプ１４は、ポリ塩化ビニルなどの任意の適切な弾力性のあるプラスチック材料で形成され得る第二の可撓性チューブ５４を備えている。第二の可撓性チューブ５４は、粘性を有する液体などの流動性製品が第二の蠕動ポンプ１４に送達される入口側５６と、流動性製品が第二の蠕動ポンプ１４から送達される出口側５８とを有する。入口側５６および出口側５８は、第二のロータ４２の回転の順方向（図１ａでは時計回り）に対して指定されている。入口側５６は、出口多岐管３８の第二の出口ポート３８ｂに連結され、出口側５８は、第二の製品出口コネクタ６０に連結されている。第二の可撓性チューブ５４は、内壁４４ａに接触して円筒状の第二のステータ４４の周囲を周方向に延びており、入口側５６および出口側５８は、円筒状の第二のステータ４４から実質的に半径方向に離隔して外側に延びている。
【００４０】
円筒状の第一のステータ１９は第一の半径ｒ１を有し、円筒状の第二のステータ４４は第二の半径ｒ２を有する。第一の半径ｒ１は、第二の半径ｒ２よりも大きく、一般的には少なくとも２０％大きい。さらに、本実施形態では、第一の可撓性チューブ３０は、第二の可撓性チューブ５４の直径、特に内径よりも大きい直径、特に内径を有する。本明細書で先に説明したように、第一および第二のステータ１９，４４、およびそれらに関連付けられた第一および第二のロータ１８，４２の直径が異なること、ならびに、必要に応じて第一および第二の蠕動ポンプ１２，１４の第一および第二の可撓性チューブ３０，５４の直径が異なることにより、各蠕動ポンプ１２，１４が異なる送液特性を有することになる。特に、より大径の第一の可撓性チューブ３０を備えた、より大きな第一の蠕動ポンプ１２は、比較的短時間で大量の液体または他の流動性製品を送達することが可能であるのに対し、より小径の第二の可撓性チューブ５４を備えた、より小さな第二の蠕動ポンプ１４は、液体または他の流動性製品を、より少量ではあるが、より高精度に送達することが可能である。
【００４１】
第一および第二の蠕動ポンプ１２，１４は同一平面上にあり、特に第一および第二のロータ１８，４２が同一平面上にある。第一および第二のステータ１９，４４も同様に同一平面上にある。第一および第二のロータ１８，４２は、互いに実質的に平行であり、かつ互いに離間している回転軸を有している。
【００４２】
ポンプハウジング１６は、一般に、成形された実質的に硬質のプラスチック材料で形成されている。図１ａおよび図１ｂに示された実施形態では、第一のステータ１９、特に第一の内壁１９ａは、ポンプハウジング１６内に円形の凹部６２ａとしてポンプハウジング１６によって形成されている。第二のステータ４４は、ポンプハウジング１６における相補的な形状の凹部６６ａ内に取り付けられたステータブロック６４ａを含んでいる。ステータブロック６４ａの寸法は、凹部６６ａの寸法よりも僅かに小さくされており、それによりステータブロック６４ａが凹部６６ａ内で、ひいてはポンプハウジング１６内で横方向に移動可能とされている。この横方向の移動により、図２（ａ）〜図２（ｄ）に図示されているように、第二のステータ４４およびそれに関連付けられた第二のロータ４２が、第一のステータ１９およびそれに関連付けられた第一のロータ１８に対して、同一平面内で相対的に移動することが可能になる。ポンプ装置１は、第一のステータ１９に対する上述の横方向の相対移動を許容する一方で、ステータブロック６４ａをポンプハウジング１６の凹部６６ａ内に保持するための保持手段（図示せず）を備えている。
【００４３】
第一および第二の製品出口コネクタ４０，６０は、それぞれ、第一および第二のロータ１８，４２の回転軸と実質的に平行な出口軸を有する。これにより、ポンプ装置１０、特に第一および第二のロータ１８，４２を、第一および第二の外部回転駆動部２８ａ，２８ｂと容易に係合および係合解除させることができる。また、これにより、ポンプ装置１０、特に第一および第二の製品出口コネクタ４０、６０を、外部に取り付けられた第一および第二の製品入口コネクタ７２ａ、７２ｂ（図１０および図１１）に係合させることができる。第一および第二の製品出口コネクタ４０，６０と外部に取り付けられた第一および第二の製品入口コネクタ７２ａ，７２ｂとの位置合わせを容易にするために、第一および第二の製品出口コネクタ４０，６０は、ポンプハウジング１６の凹部７４ａ，７４ｂに取り付けられている。凹部７４ａ，７４ｂは、それぞれ対応するコネクタ４０，６０の外径よりも大きい直径を有している。それゆえ、横方向に移動可能な第二のステータ４４およびそれに関連付けられた横方向に移動可能な第二のロータ４２と同じ平面内で、コネクタ４０，６０が、ポンプハウジング１６の凹部７４ａ，７４ｂ内で横方向に移動することができる。
【００４４】
次に、図３には、第二の実施形態として、ポンプ装置２が示されている。ポンプ装置２は、図１ａ〜図２を参照して上述したポンプ装置１と類似しており、対応する部材は同一の符号が付されている。
【００４５】
ポンプ装置２では、第二のステータ４４、特に第二の内壁４４ａは、ポンプハウジング１６内に円形の凹部６２ｂとしてポンプハウジング１６によって形成されている。第一のステータ１９は、ポンプハウジング１６における相補的な形状の凹部６６ｂ内に取り付けられたステータブロック６４ｂを含んでいる。ステータブロック６４ｂの寸法は、凹部６６ｂの寸法よりも僅かに小さくされており、それによりステータブロック６４ｂがポンプハウジング１６の凹部６６ｂ内で横方向に移動可能とされている。この横方向の移動により、第一のステータ１９およびそれに関連付けられた第一のロータ１８が、第二のステータ４４およびそれに関連付けられた第二のロータ４２に対して、同一平面内で相対的に移動することが可能になる。ポンプ装置２は、第二のステータ４４に対する上述の横方向の相対移動を許容する一方で、ステータブロック６４ｂをポンプハウジング１６の凹部６６ｂ内に保持するための保持手段（図示せず）を備えている。
【００４６】
次に、図４には、第三の実施形態として、ポンプ装置３が示されている。ポンプ装置３は、図１ａ〜図３を参照して上述したポンプ装置１，２と類似しており、対応する部材は同一の符号が付されている。
【００４７】
ポンプ装置３では、第一のステータ１９は、ポンプハウジング１６における相補的な形状の凹部６６ｂ内に取り付けられたステータブロック６４ｂを含んでいる。ステータブロック６４ｂの寸法は、上述したように、凹部６６ｂの寸法よりも僅かに小さくされており、それによりステータブロック６４ｂがポンプハウジング１６の凹部６６ｂ内で横方向に移動可能とされている。第二のステータ４４もまた、ポンプハウジング１６における相補的な形状の凹部６６ａ内に取り付けられたステータブロック６４ａを含んでいる。ステータブロック６４ａの寸法は、上述したように、凹部６６ａの寸法よりも僅かに小さくされており、それによりステータブロック６４ａがポンプハウジング１６の凹部６６ａ内で横方向に移動可能とされている。本実施形態では、ステータブロック６４ａ，６４ｂの両方がそれぞれ対応する凹部６６ａ，６６ｂ内で横方向に移動することにより、第一および第二のステータ１９，４４、ならびにそれらに関連付けられた第一および第二のロータ１８，４２が同一平面内で互いに対して相対的に移動可能とされていることが理解されるであろう。
【００４８】
次に、図５には、第四の実施形態として、ポンプ装置４が示されている。ポンプ装置４は、図１ａ〜図２を参照して上述したポンプ装置１と類似しており、対応する部材は同一の符号が付されている。
【００４９】
ポンプ装置４では、第一のステータ１９、特に第一の内壁１９ａは、ポンプハウジング１６内に円形の凹部６２ａとしてポンプハウジング１６によって形成されている。第二のステータ４４は、ステータブロック６４ｃを含んでおり、ステータブロック６４ｃは、図５の矢印で図示されるように、ポンプハウジング１６に対して相対的に横方向に移動するように、ポンプハウジング１６の湾曲した端部に取り付けられている。前述のように、この横方向の移動によって、第二のステータ４４およびそれに関連付けられた第二のロータ４２が、第一のステータ１９およびそれに関連付けられた第一のロータ１８に対して、同一平面内で相対的に移動することが可能になる。ポンプ装置４は、ポンプハウジング１６および第一のステータ１９に対する上述の横方向の移動を許容する一方で、ステータブロック６４ｃをポンプハウジング１６の端部上の所定位置に保持するための保持手段（図示せず）を備えている。
【００５０】
次に、図６には、第五の実施形態として、ポンプ装置５が示されている。ポンプ装置５は、上述したポンプ装置と類似しており、対応する部材は同一の符号が付されている。
【００５１】
ポンプ装置５では、ポンプハウジング１６は、第一、第二および第三のハウジング部品１６ａ〜１６ｃを含んでいる。第一および第二のステータ１９，４４、特にそれぞれの第一および第二の内壁１９ａ，４４ａは、第一および第二のハウジング部品１６ａ，１６ｂ内に円形の凹部６２ａ，６２ｂとして第一および第二のハウジング部品１６ａ，１６ｂによって形成されている。第一および第二のハウジング部品１６ａ，１６ｂは、第三のハウジング部品１６ｃに移動可能に取り付けられており、図６の矢印で図示されるように、同一平面内で互いに相対的に移動可能である。より具体的には、第一および第二のハウジング部品１６ａ，１６ｂは共に、可撓性マウント７０ａ，７０ｂによって、第三のハウジング部品１６ｃの互いに反対側の端部に取り付けられている。可撓性マウント７０ａ，７０ｂは、一般にゴムなどの弾力性のある材料を含んでいる。第一および第二の製品出口コネクタ４０，６０は、第三のハウジング部品１６ｃに取り付けられている。
【００５２】
次に、図７には、第六の実施形態として、ポンプ装置６が示されている。ポンプ装置６は、図６を参照して上述したポンプ装置５と類似しており、対応する部材は同一の符号が付されている。
【００５３】
ポンプ装置６では、ポンプハウジング１６は、第一、第二および第三のハウジング部品１６ａ〜１６ｃを含んでいる。第一および第二のステータ１９，４４、特にそれぞれの第一および第二の内壁１９ａ，４４ａは、第一および第二のハウジング部品１６ａ，１６ｂ内に円形の凹部６２ａ，６２ｂとして第一および第二のハウジング部品１６ａ，１６ｂによって形成されている。第一の製品出口コネクタ４０は第二のハウジング部品１６ｂに取り付けられ、第二の製品出口コネクタ６０は第一のハウジング部品１６ａに取り付けられている。
【００５４】
第一、第二および第三のハウジング部品１６ａ〜１６ｃは、シャーシまたは弾力性マウント９０内において、同一平面内で互いに相対移動するように取り付けられている。シャーシまたは弾力性マウント９０は、一般にゴムなどの弾力性のある材料を含んでいる。
【００５５】
次に、図８には、第七の実施形態として、ポンプ装置７が示されている。ポンプ装置７は、図７を参照して上述したポンプ装置６と類似しており、対応する部材は同一の符号が付されている。
【００５６】
ポンプ装置７では、ポンプハウジング１６は、第一〜第五のハウジング部品１６ａ〜１６ｅを含んでいる。第一および第二のステータ１９，４４、特にそれぞれの第一および第二の内壁１９ａ，４４ａは、第一および第二のハウジング部品１６ａ，１６ｂ内に円形の凹部６２ａ，６２ｂとして第一および第二のハウジング部品１６ａ，１６ｂによって形成されている。第一の製品出口コネクタ４０は第三のハウジング部品１６ｃに取り付けられ、第二の製品出口コネクタ６０は第四のハウジング部品１６ｄに取り付けられている。
【００５７】
ハウジング部品１６ａ〜１６ｅは、シャーシまたは弾力性マウント９０内において、同一平面内で互いに相対移動するように取り付けられている。シャーシまたは弾力性マウント９０は、一般にゴムなどの弾力性のある材料を含んでいる。
【００５８】
次に、図９には、第八の実施形態として、ポンプ装置８が示されている。ポンプ装置８は、上述したポンプ装置と類似しており、対応する部材は同一の符号が付されている。
【００５９】
ポンプ装置８では、ポンプハウジング１６は、第一および第二のハウジング部品１６ａ，１６ｂを含んでいる。第一および第二のステータ１９，４４、特にそれぞれの第一および第二の内壁１９ａ，４４ａは、第一および第二のハウジング部品１６ａ，１６ｂ内に円形の凹部６２ａ，６２ｂとして第一および第二のハウジング部品１６ａ，１６ｂによって形成されている。第一および第二のハウジング部品１６ａ，１６ｂは、シャーシまたは弾力性マウント９０内において、同一平面内で互いに相対移動するように取り付けられている。シャーシまたは弾力性マウント９０は、一般にゴムなどの弾力性のある材料を含んでいる。
【００６０】
第一および第二の製品出口コネクタ４０，６０もまた、シャーシまたは弾力性マウント９０内において、互いに対して相対的に、かつ第一および第二のステータ１９，４４に対して相対的に移動するように独立して取り付けられている。
【００６１】
次に図１０ａおよび図１０ｂを参照すると、第一の実施例では、ポンプ装置１は、流動性製品を収容する、気密性のある可撓性パウチ８０に着脱可能に連結可能とされている。可撓性パウチ８０から流動性製品を送達するために、ポンプ装置１は、先ず、図１０ａに概略的に示されているように、分注装置８２上に位置決めされ得る。位置決めの間、第一および第二のロータ１８，４２の第一および第二のスピンドル２４，５０における中央駆動開口部２６，５２は、第一および第二の外部回転駆動部２８ａ，２８ｂとそれぞれ係合する。第二のステータ４４、ひいては第二のロータ４２が、第一のステータ１９、ひいては第一のロータ１８に対して横方向に相対的に移動可能であることから、第一および第二の外部回転駆動部２８ａ，２８ｂと中央駆動開口部２６，５２とが正確に係合されることが保証される。
【００６２】
また、第一および第二の製品出口コネクタ４０，６０は、ポンプ装置１の分注装置８２上での位置決めの間、外部に取り付けられた第一および第二の製品入口コネクタ７２ａ，７２ｂとそれぞれ係合する。上述したように、第一および第二の製品出口コネクタ４０，６０が、ポンプハウジング１６の標準より大きな凹部７４ａ，７４ｂ内で横方向に移動可能であることから、第一および第二の製品出口コネクタ４０，６０と第一および第二の製品入口コネクタ７２ａ，７２ｂとが正確に位置合わせおよび係合されることが保証される。
【００６３】
図１０ｂに示すように、ポンプ装置１が分注装置８２上に位置決めされると、可撓性パウチ８０をポンプ装置１に連結することができ、特に可撓性パウチ８０の出口８４を出口多岐管３８の入口ポート３８ｃに連結することができる。出口多岐管３８により、第一の可撓性チューブ３０の入口側３２と第二の可撓性チューブ５４の入口側５６の両方が、可撓性パウチ８０内の流動性製品と同時に連通することが確実になる。可撓性パウチ８０は、例えば段ボールで形成された硬質容器８６内に取り付けることができるが、これは厳密には必要ではないことが理解されるであろう。
【００６４】
次に図１１を参照すると、第二の実施例では、図１０ａおよび図１０ｂを参照して上述した方法で、ポンプ装置１が流動性製品を含む気密性を有する可撓性パウチ８０に連結されている。この第二の実施例では、ポンプ装置１および連結された可撓性パウチ８０の両方が硬質容器８６内に配設されている。硬質容器８６は、同様に、段ボール素材で形成されていてもよい。
【００６５】
可撓性パウチ８０から流動性製品を送達するために、図１１に概略的に示されているように、硬質容器８６は、分注装置８２上に位置決めされる。位置決めの間、第一および第二のロータ１８，４２の第一および第二のスピンドル２４，５０における中央駆動開口部２６，５２は、第一および第二の外部回転駆動部２８ａ，２８ｂとそれぞれ係合する。第二のステータ４４、ひいては第二のロータ４２が、第一のステータ１９、ひいては第一のロータ１８に対して横方向に相対的に移動可能であることから、第一および第二の外部回転駆動部２８ａ，２８ｂと中央駆動開口部２６，５２とが正確に係合されることが保証される。
【００６６】
また、第一および第二の製品出口コネクタ４０，６０は、硬質容器８６の分注装置８２上での位置決めの間、外部に取り付けられた第一および第二の製品入口コネクタ７２ａ，７２ｂとそれぞれ係合する。上述したように、第一および第二の製品出口コネクタ４０，６０が、ポンプハウジング１６の標準より大きな凹部７４ａ，７４ｂ内で横方向に移動可能であることから、第一および第二の製品出口コネクタ４０，６０と第一および第二の製品入口コネクタ７２ａ，７２ｂとが正確に位置合わせおよび係合されることが保証される。
【００６７】
次に、図１２には、第九の実施形態として、ポンプ装置９が示されている。ポンプ装置９は、図１ａ〜図２を参照して上述したポンプ装置１と類似しており、対応する部材は同一の符号が付されている。
【００６８】
ポンプ装置９では、第一および第二の可撓性チューブ３０，５４は、それぞれ、その出口側３４，５８において、第一および第二の製品出口１００，１０２としての第一および第二の分注針１０４，１０６を備えている。第一および第二の分注針１０４，１０６は、取付部材１１０によって支持体（図示せず）に取り付け可能な分注ユニット１０８を形成する。これにより、第一および第二の分注針１０４，１０６は、共通の容器に直接、流動性製品を分注することができる。
【００６９】
第一の分注針１０４は、第二の分注針１０６の直径、特に内径よりも大きな直径、特に内径を有する。より大径の第一の分注針１０４は、より大径の第一の可撓性チューブ３０を備えた、より大きな第一の蠕動ポンプ１２の動作中に、比較的短時間で大量の液体または他の流動性製品を分注するのに適しているのに対し、より小径の第二の分注針１０６は、より小径の第二の可撓性チューブ５４を備えた、より小さな第二の蠕動ポンプ１４の動作中に、液体または他の流動性製品を、より少量ではあるが、より高精度に分注するのに適していることが理解されるであろう。
【００７０】
次に図１３を参照すると、ポンプ装置９は、図１１を参照して上述したのと同様に、流動性製品を収容する気密性を有する可撓性パウチ８０に連結されている。
【００７１】
可撓性パウチ８０から流動性製品を送達するために、図１３に概略的に示されているように、硬質容器８６は、分注装置８２上に位置決めされる。位置決めの間、第一および第二のロータ１８，４２の第一および第二のスピンドル２４，５０における中央駆動開口部２６，５２は、第一および第二の外部回転駆動部２８ａ，２８ｂとそれぞれ係合する。上述したように、第二のステータ４４、ひいては第二のロータ４２が、第一のステータ１９、ひいては第一のロータ１８に対して横方向に相対的に移動可能であることから、第一および第二の外部回転駆動部２８ａ，２８ｂと中央駆動開口部２６，５２とが正確に係合されることが保証される。
【００７２】
第一および第二の可撓性チューブ３０，５４は、第一および第二の蠕動ポンプ１２，１４から硬質容器８６を通って、可撓性パウチ８０に沿って巧く離れて延びており、第一および第二の外部回転駆動部２８ａ，２８ｂと中央駆動開口部２６，５２との係合を妨げないようになっている。上述したように、第一および第二の分注針１０４，１０６を含んでいる分注ユニット１０８は、支持体（図示せず）に取付部材１１０を係合させることにより、支持体に取り付けることができる。
【００７３】
代表的な実施形態を前の段落で説明してきたが、添付の特許請求の範囲から逸脱することなく、これらの実施形態に対して様々な修正を加えることができることを理解されたい。したがって、特許請求の範囲の広さおよび範囲は、上述の代表的な実施形態に限定されるべきではない。
【００７４】
上記特徴の全ての考え得る変形における任意の組み合わせは、特に断りのない限り、または文脈によって明らかに矛盾しない限り、本発明に含まれる。
【００７５】
文脈から明らかにそうでないことを要求していない限り、明細書および特許請求の範囲全体を通して、「備えるまたは含む」，「備えているまたは含んでいる」などの語は、排他的または網羅的な意味とは対照的に包括的に解釈されるべきである。すなわち、「含むが、これに限定されない」という意味である。
【図１ａ】
2021519879.tif 000003
【図１ｂ】
2021519879.tif 000004
【図２】
2021519879.tif 000005
【図３】
2021519879.tif 000006
【図４】
2021519879.tif 000007
【図５】
2021519879.tif 000008
【図６】
2021519879.tif 000009
【図７】
2021519879.tif 000010
【図８】
2021519879.tif 000011
【図９】
2021519879.tif 000012
【図１０ａ】
2021519879.tif 000013
【図１０ｂ】
2021519879.tif 000014
【図１１】
2021519879.tif 000015
【図１２】
2021519879.tif 000016
【図１３】
2021519879.tif 000017
【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
少なくとも１つの押圧部材を有する駆動可能な第一のロータと、
内部で前記第一のロータが回転可能な円筒状の第一のステータであって、第一の半径を有する円周状の第一の内壁を備えた第一のステータと、
入口側と出口側を有し、前記第一の内壁に接触して前記第一のステータの周囲を周方向に延びている第一の可撓性チューブと、
を含む第一の蠕動ポンプと、
少なくとも１つの押圧部材を有する駆動可能な第二のロータと、
内部で前記第二のロータが回転可能な円筒状の第二のステータであって、第二の半径を有する円周状の第二の内壁を備えた第二のステータと、
入口側と出口側を有し、前記第二の内壁に接触して前記第二のステータの周囲を周方向に延びている第二の可撓性チューブと、
を含む第二の蠕動ポンプと、を含んでおり、
前記第一の半径が前記第二の半径よりも大きくされていると共に、前記第一のステータおよび前記第二のステータの少なくとも一方が該第一のステータおよび該第二のステータの他方に対して相対的に移動可能である
ことを特徴とする流動性製品を分注するためのポンプ装置。
【請求項２】
ポンプハウジングを更に含んでいる請求項１に記載の流動性製品を分注するためのポンプ装置。
【請求項３】
前記第一のステータおよび前記第二のステータの少なくとも一方が、該第一のステータおよび該第二のステータの他方に対して相対的に移動するように前記ポンプハウジング上または該ポンプハウジング内に取り付けられている請求項２に記載の流動性製品を分注するためのポンプ装置。
【請求項４】
前記第一のステータおよび前記第二のステータの両方が、互いに対して相対的に移動するように前記ポンプハウジング上または該ポンプハウジング内に取り付けられている請求項２または３に記載の流動性製品を分注するためのポンプ装置。
【請求項５】
前記第一のステータおよび前記第二のステータの少なくとも一方が前記ポンプハウジングによって形成されていると共に、該第一のステータおよび該第二のステータの他方が、該ポンプハウジングに対して相対的に移動するように該ポンプハウジング上または該ポンプハウジング内に取り付けられている請求項２または３に記載の流動性製品を分注するためのポンプ装置。
【請求項６】
前記第一のステータおよび前記第二のステータの移動可能とされた前記少なくとも一方が、前記ポンプハウジングに対して相対的に移動可能なステータブロックを含んでいる請求項２〜５のいずれか一項に記載の流動性製品を分注するためのポンプ装置。
【請求項７】
前記ステータブロックを前記ポンプハウジング上または該ポンプハウジング内に保持するための保持手段を含んでおり、該保持手段が、該ポンプハウジングに対する該ステータブロックの相対的な移動を許容するように配置されている請求項６に記載の流動性製品を分注するためのポンプ装置。
【請求項８】
前記ポンプハウジングが、互いに相対的に移動可能な第一のハウジング部品および第二のハウジング部品を含んでおり、前記第一のステータおよび前記第二のステータが該第一のハウジング部品および該第二のハウジング部品によって形成されている請求項２〜７のいずれか一項に記載の流動性製品を分注するためのポンプ装置。
【請求項９】
前記第一の半径が前記第二の半径よりも少なくとも２０％大きくされている請求項１〜８のいずれか一項に記載の流動性製品を分注するためのポンプ装置。
【請求項１０】
前記第一の半径が前記第二の半径よりも少なくとも５０％大きくされている請求項１〜９のいずれか一項に記載の流動性製品を分注するためのポンプ装置。
【請求項１１】
前記第一の半径が前記第二の半径よりも少なくとも１００％大きくされている請求項１〜１０のいずれか一項に記載の流動性製品を分注するためのポンプ装置。
【請求項１２】
前記第一の可撓性チューブと前記第二の可撓性チューブが同じ内径を有している請求項１〜１１のいずれか一項に記載の流動性製品を分注するためのポンプ装置。
【請求項１３】
前記第一の可撓性チューブと前記第二の可撓性チューブが異なる内径を有している請求項１〜１１のいずれか一項に記載の流動性製品を分注するためのポンプ装置。
【請求項１４】
前記第一の可撓性チューブの前記内径が、前記第二の可撓性チューブの前記内径よりも大きくされている請求項１３に記載の流動性製品を分注するためのポンプ装置。
【請求項１５】
前記第一の可撓性チューブの前記内径が前記第二の可撓性チューブの前記内径と少なくとも２０％異なっている請求項１３または１４に記載の流動性製品を分注するためのポンプ装置。
【請求項１６】
前記第一の可撓性チューブの前記内径が前記第二の可撓性チューブの前記内径と少なくとも５０％異なっている請求項１３〜１５のいずれか一項に記載の流動性製品を分注するためのポンプ装置。
【請求項１７】
前記第一の可撓性チューブの前記内径が前記第二の可撓性チューブの前記内径と少なくとも１００％異なっている請求項１３〜１６のいずれか一項に記載の流動性製品を分注するためのポンプ装置。
【請求項１８】
前記第一の可撓性チューブの前記出口側で出口軸を有する第一の製品出口コネクタと、前記第二の可撓性チューブの前記出口側で出口軸を有する第二の製品出口コネクタを含んでおり、該第一の製品出口コネクタと該第二の製品出口コネクタの該出口軸は、前記第一のロータおよび前記第二のロータの回転軸と実質的に平行であると共に、該第一の製品出口コネクタと該第二の製品出口コネクタが、前記ポンプハウジング上または該ポンプハウジング内に取り付けられて該ポンプハウジングに対して相対的に移動可能である請求項１〜１７のいずれか一項に記載の流動性製品を分注するためのポンプ装置。
【請求項１９】
前記第一の製品出口コネクタおよび前記第二の製品出口コネクタがプッシュフィットコネクタを含んでいる請求項１８に記載の流動性製品を分注するためのポンプ装置。
【請求項２０】
前記第一の可撓性チューブが前記出口側に第一の製品出口を備えていると共に、前記第二の可撓性チューブが前記出口側に第二の製品出口を備えており、該第一の製品出口および該第二の製品出口が、流動性製品を直接、容器に分注するように構成されている請求項１〜１７のいずれか一項に記載の流動性製品を分注するためのポンプ装置。
【請求項２１】
前記第一の製品出口と前記第二の製品出口が同じ内径を有している請求項２０に記載の流動性製品を分注するためのポンプ装置。
【請求項２２】
前記第一の製品出口と前記第二の製品出口が異なる内径を有している請求項２０に記載の流動性製品を分注するためのポンプ装置。
【請求項２３】
前記第一の製品出口の前記内径が、前記第二の製品出口の前記内径よりも大きくされている請求項２２に記載の流動性製品を分注するためのポンプ装置。
【請求項２４】
前記第一の製品出口が第一の分注ノズルを含んでおり、前記第二の製品出口が第二の分注ノズルを含んでいる請求項２０〜２３のいずれか一項に記載の流動性製品を分注するためのポンプ装置。
【請求項２５】
単一の流動性製品源を更に含んでおり、前記第一の可撓性チューブの前記入口側と前記第二の可撓性チューブの前記入口側が、それぞれ該単一の流動性製品源と連通している請求項１〜２４のいずれか一項に記載の流動性製品を分注するためのポンプ装置。
【請求項２６】
前記単一の流動性製品源が流動性製品リザーバを含んでいる請求項２５に記載の流動性製品を分注するためのポンプ装置。
【請求項２７】
前記単一の流動性製品源が、流動性製品を収容する、気密性のある可撓性パウチを含んでいる請求項２５または２６に記載の流動性製品を分注するためのポンプ装置。
【請求項２８】
第一の流動性製品源と、該第一の流動性製品源と連通していない第二の流動性製品源を更に含んでおり、
前記第一の可撓性チューブの前記入口側が前記第一の流動性製品源と連通していると共に、
前記第二の可撓性チューブの前記入口側が前記第二の流動性製品源と連通している
請求項１〜２４のいずれか一項に記載の流動性製品を分注するためのポンプ装置。
【請求項２９】
前記第一の流動性製品源と前記第二の流動性製品源が同じ流動性製品を収容している請求項２８に記載の流動性製品を分注するためのポンプ装置。
【請求項３０】
前記第一の流動性製品源と前記第二の流動性製品源が異なる流動性製品を収容している請求項２８に記載の流動性製品を分注するためのポンプ装置。
【請求項３１】
前記第一の流動性製品源および／または前記第二の流動性製品源が流動性製品リザーバを含んでいる請求項２８〜３０のいずれか一項に記載の流動性製品を分注するためのポンプ装置。
【請求項３２】
前記第一の流動性製品源および／または前記第二の流動性製品源が気密性のある可撓性パウチを含んでいる請求項２８〜３１のいずれか一項に記載の流動性製品を分注するためのポンプ装置。
【手続補正２】
【補正対象書類名】明細書
【補正対象項目名】００３７
【補正方法】変更
【補正の内容】
【００３７】
第一の蠕動ポンプ１２は、ポリ塩化ビニルなどの任意の適切な弾力性のあるプラスチック材料で形成され得る第一の可撓性チューブ３０を備えている。第一の可撓性チューブ３０は、粘性を有する液体などの流動性製品が第一の蠕動ポンプ１２に送達される入口側３２と、流動性製品が第一の蠕動ポンプ１２から送達される出口側３４とを有する。入口側３２および出口側３４は、第一のロータ１８の回転の順方向（図１ａでは時計回り）に対して指定されている。入口側３２は、出口多岐管３８の第一の出口ポート３８ａに連結され、出口側３４は、第一の製品出口コネクタ４０に連結されている。第一の可撓性チューブ３０は、内壁１９ａに接触して円筒状の第一のステータ１９の周囲を周方向に延びており、入口側３２および出口側３４は、円筒状の第一のステータ１９から実質的に半径方向に離隔して外側に延びている。
【手続補正３】
【補正対象書類名】明細書
【補正対象項目名】００４３
【補正方法】変更
【補正の内容】
【００４３】
第一および第二の製品出口コネクタ４０，６０は、それぞれ、第一および第二のロータ１８，４２の回転軸と実質的に平行な出口軸を有する。これにより、ポンプ装置１、特に第一および第二のロータ１８，４２を、第一および第二の外部回転駆動部２８ａ，２８ｂと容易に係合および係合解除させることができる。また、これにより、ポンプ装置１、特に第一および第二の製品出口コネクタ４０、６０を、外部に取り付けられた第一および第二の製品入口コネクタ７２ａ、７２ｂ（図１０および図１１）に係合させることができる。第一および第二の製品出口コネクタ４０，６０と外部に取り付けられた第一および第二の製品入口コネクタ７２ａ，７２ｂとの位置合わせを容易にするために、第一および第二の製品出口コネクタ４０，６０は、ポンプハウジング１６の凹部７４ａ，７４ｂに取り付けられている。凹部７４ａ，７４ｂは、それぞれ対応するコネクタ４０，６０の外径よりも大きい直径を有している。それゆえ、横方向に移動可能な第二のステータ４４およびそれに関連付けられた横方向に移動可能な第二のロータ４２と同じ平面内で、コネクタ４０，６０が、ポンプハウジング１６の凹部７４ａ，７４ｂ内で横方向に移動することができる。
【国際調査報告】
2021519879.tif 000018
2021519879.tif 000019